(57)【要約】【課題】動植物観賞用、棚などの造作物の照明を天板に光源や、配線無しで実現する。【解決手段】照明をするための装置を別途有するのではなく、構造体を持用いてその内部で導光して、必要な光照射部を設けて照明とする。箱型の造作物の場合は、天板から照射する照明の光源を天板に取り付けることなく、下部に設けた光源からの光を造作物の構造体の中を通して天板へ導きその光を天板の外に照射して実現する。 構造体は導光するために鏡面仕上げの透明な物質で無くてはならない。透明な容器が向いている観賞の造作物ではコストを抑えた、利便性の良い照明が実現できる。【選択図】図１
2018060762.tif 000002
【特許請求の範囲】
【請求項１】
造作物を構成する平面又は曲面の構造体の一部又は全部を、表面が鏡面仕上げの透明な物質にして、
前記鏡面仕上げの全部又は一部を鏡面仕上げ未満に粗く処理するか又は前記表面に溝をつけた光照射部と、
前記造作物の半分の高さの位置より下にあるか、又は前記光照射部の平面と同一面上又は曲面の接線上にはない位置にある光源部と、
前記光源部からの光を、前記光照射部の構造体自身の内部に導く導光部を
有することを特徴とする造作物。
【請求項２】
造作物を構成する平面又は曲面の構造体の一部又は全部を、表面が鏡面仕上げの透明な物質にして、
前記鏡面仕上げの全部又は一部を鏡面仕上げ未満に粗く処理するか又は前記表面に溝をつけた光照射部と、
前記造作物の半分の高さの位置より下にあるか、又は前記光照射部の平面と同一面上又は曲面の接線上にはない位置にある光源部と、
前記光源部からの光を、前記透明で鏡面仕上げの構造体の物質の内部を光の経路とし、前記光照射部の構造体自身の内部に導く導光部を
有することを特徴とする造作物。
【請求項３】
造作物を構成する平面又は曲面の構造体の一部又は全部を、表面が鏡面仕上げの透明な物質にして、
前記構造体の内部の光を、前記鏡面に臨界角以下で光を照射する反射面を有するアのあのじの又は一部を鏡面仕上げ未満に粗く処理したすなは光照射部と、
前記造作物の半分の高さの位置より下にあるか、又は前記光照射部の平面と同一面上又は曲面の接線上にはない位置にある光源部と、
前記光源部からの光を、前記透明で鏡面仕上げの構造体の物質の内部を光の経路とし、前記光照射部の構造体自身の内部に導く導光部を
有することを特徴とする造作物。
【請求項４】
造作物を構成する透明な部分の全部又は一部の表面が、光を透過しない不透明又は半分透過する半透明の物質で覆われた、平面または曲面の構造体を有することを特徴とする請求項１または請求項２または請求項３に記載の造作物。
【請求項５】
上下の配置位置が予め決められている造作物を上から覆う、着脱可能な平面や曲面の構造体を有することを特徴とする請求項１又は請求項２又は請求項３又は請求項４に記載の造作物。
【請求項６】
平面又は曲面の側板と、前記側板の上に乗り、外周部分が垂直方向に曲がり、前記側板の内部を導光する光を前記外周部分の板の内部で導光する天板からなるか、
又は平面又は曲面の天板と、前記天板を間に挟む、外周部分が水平方向に曲がり、内部を導光する光を前記外周部分から、前記天板の板の内部へ導光する側板からなる
ことを特徴とする請求項１又は請求項２又は請求項３又は請求項４又は請求項５に記載の造作物。
【請求項７】
側板の内部に導かれた光を全反射して天板の内部に導くように、天板の端面と下面がなす角度を直角未満とする、側板の上に乗った鏡面仕上げの透明な前記天板か、
又は側板の端面と内面がなす角度を直角未満とする、天板を挟む鏡面仕上げの透明な前記側板を
有することを特徴とする請求項１又は請求項２又は請求項３又は請求項４又は請求項５又は請求項６に記載の造作物。
【請求項８】
鏡面仕上げで透明な、かつ内部で光を導光する平面又は曲面の板で構成される、一箇所に開口部を有する内部が空洞の立方体と、
前記立方体の開口部の前記板の端面に光を照射する光源部を配置された、前記開口部の全部又は一部を塞ぐ底板からなる
ことを特徴とする請求項１又は請求項２又は請求項３又は請求項４又は請求項５又は請求項６又は請求項７に記載の造作物。
【請求項９】
光を透過させる鏡面仕上げの透明な側板の高さ方向の中間の位置に、前記側板の横の長さの全部又は一部に端面が鏡面の溝を水平方向に有するか、
前記側板の横の長さの全部又は一部に前記側板の厚みに段差をつける、平面で鏡面の端面を前記側板の横方向に有すること
を特徴とする請求項２又は請求項３又は請求項４又は請求項５又は請求項６又は請求項７に記載の造作物。
【請求項１０】
端面と内面のなす角度を直角以外とし内部の光を水平方向に反射させる、一部又は全部が箱の高さより低い、鏡面仕上げの透明な側板を有することを特徴とする請求項１又は請求項２又は請求項３又は請求項４又は請求項５又は請求項６又は請求項７に記載の造作物。
【請求項１１】
一部又は全部が鏡面仕上げの透明な物質からなる造作物の平面や曲面の前記透明な物質の全部又は一部を鏡面仕上げより粗く処理された部分から前記造作物の内部に導光された光を前記造作物の物質の外部に照射する工程と
前記粗く処理された部分の平面の延長線上又は曲面の接線上にはない位置にあるか、又は前記造作物の半分の高さの位置より下にあるにある光源の光を、前記鏡面仕上げの透明な平面や、曲面の構造体の内部に導く工程と
前記光を前記構造体の平面や曲面の内部で、前記前記粗く処理された部分へ導光する工程
を有する照明又は光を用いた意匠の方法
【請求項１２】
一部又は全部が鏡面仕上げの透明な物質からなる造作物の平面や曲面の前記透明な物質の内部に導光された光を前記鏡面に臨界角以下で光を当て前記造作物の物質の外部に照射する工程と
前記臨界角以下で光を当てた箇所の前記造作物の平面の延長線上又は曲面の接線上にはない位置にあるか、又は前記造作物の半分の高さの位置より下にあるにある光源の光を、前記  鏡面仕上げの透明な平面や、曲面の構造体の内部に導く工程と
前記光を前記構造体の平面や曲面の内部で、前記臨界角以下で光を当てる部分へ導光する工程
を有する照明又は光を用いた意匠の方法
【発明の詳細な説明】
【技術分野】
【０００１】
本発明は、動植物、育成、栽培、鑑賞する、また置物を観賞するための造作物、商品の陳列台、棚などの造作物の照明、デザインに関するものである。
【背景技術】
【０００２】
熱帯魚や、植物を育成、鑑賞するために用いる造作物や、置物を観賞する造作物、商品の陳列台では照明は天板の上に配置されたランプを光源として用いられ事が多い。造作物のなか全体を照らすために天板を透明な物質で構成して天板の上に照明を配置するか、天板の下にランプを配置して照射する。または天板をパネルライト（光が下面から出るようにした導光板）として天板の端に光源をとりつける。
【０００３】
しかし、天板にランプを配置して、照明すると天板が重くなる。天板の上に物を置く際にじゃまになる。また天板を外して作業する場合に配線や、重さが作業の妨げになるという欠点がある。
【０００４】
一般の用途において、この欠点は例えば水槽の中の魚を入れ替える、造作物のなかの植物や置物入れ替える作業において作業性に関して大きな障害である。また見栄えも悪くする。具体的には、重い蓋を持ち上げたり、配線がついたまま移動も容易にできないなどの問題があった。また造作物の上に別のものが置けないなどの問題もある。 
【先行技術文献】
【特許文献】
【０００５】
【特許文献１】特開２０１４−２１２７１６号公報
【特許文献２】特開２０１１−９６６０２号公報
【特許文献３】特開２００９−０７２５１０号公報
【特許文献４】特開２００４−４９２１１号公報
【非特許文献】
【０００６】
【非特許文献１】グリーンキューブ  http://www.greenfarm.uing.u-tc.co.jp/cube/
【発明の概要】
【発明が解決しようとする課題】
【０００７】
解決しようとする問題点は、自由な置物の配置や、作業の妨げになる、観賞用、育成用造作物、陳列台、棚などの造作物の照明器具の配置、配線を解消し、合わせて光を用いたデザインをするものである。
【課題を解決するための手段】
【０００８】
本発明は、上記課題を解決するために、以下に記載の手段よりなる。すなわち、
１）造作物を構成する平面又は曲面の構造体の一部又は全部を、表面が鏡面仕上げの透明な物質にして、
前記鏡面仕上げの全部又は一部を鏡面仕上げ未満に粗く処理するか又は前記表面に溝をつけた光照射部と、
前記造作物の半分の高さの位置より下にあるか、又は前記光照射部の平面と同一面上又は曲面の接線上にはない位置にある光源部と、
前記光源部からの光を、前記光照射部の構造体自身の内部に導く導光部を
有することを特徴とする造作物。
２）造作物を構成する平面又は曲面の構造体の一部又は全部を、表面が鏡面仕上げの透明な物質にして、
前記鏡面仕上げの全部又は一部を鏡面仕上げ未満に粗く処理するか又は前記表面に溝をつけた光照射部と、
前記造作物の半分の高さの位置より下にあるか、又は前記光照射部の平面と同一面上又は曲面の接線上にはない位置にある光源部と、
前記光源部からの光を、前記透明で鏡面仕上げの構造体の物質の内部を光の経路とし、前記光照射部の構造体自身の内部に導く導光部を
有することを特徴とする造作物。
３）造作物を構成する平面又は曲面の構造体の一部又は全部を、表面が鏡面仕上げの透明な物質にして、
前記構造体の内部の光を、前記鏡面に臨界角以下で光を当てる反射面を有するアのあのじの又は一部を鏡面仕上げ未満に粗く処理したすなは光照射部と、
前記造作物の半分の高さの位置より下にあるか、又は前記光照射部の平面と同一面上又は曲面の接線上にはない位置にある光源部と、
前記光源部からの光を、前記透明で鏡面仕上げの構造体の物質の内部を光の経路とし、前記光照射部の構造体自身の内部に導く導光部を
有することを特徴とする造作物。
４）造作物を構成する透明な部分の全部又は一部の表面が、光を透過しない不透明又は半分透過する半透明の物質で覆われた、平面または曲面の構造体を有することを特徴とする造作物。
５）上下の配置位置が予め決められている造作物を上から覆う、着脱可能な平面や曲面の構造体を有することを特徴とする造作物。
６）平面又は曲面の側板と、前記側板の上に乗り、外周部分が垂直方向に曲がり、前記側板の内部を導光する光を前記外周部分の板の内部で導光する天板からなるか、又は平面又は曲面の天板と、前記天板を間に挟む、外周部分が水平方向に曲がり、内部を導光する光を前記外周部分から、前記天板の板の内部へ導光する側板からなることを特徴とする造作物。
７）側板の内部に導かれた光を全反射して天板の内部に導くように、天板の端面と下面がなす角度を直角未満とする、側板の上に乗った鏡面仕上げの透明な前記天板か、又は側板の端面と内面がなす角度を直角未満とする、天板を挟む鏡面仕上げの透明な前記側板を有することを特徴とする造作物。
８）鏡面仕上げで透明な、かつ内部で光を導光する平面又は曲面の板で構成される、一箇所に開口部を有する内部が空洞の立方体と、前記立方体の開口部の前記板の端面に光を照射する光源部を配置された、前記開口部の全部又は一部を塞ぐ底板からなることを特徴とする造作物。
９）光を透過させる鏡面仕上げの透明な側板の高さ方向の中間の位置に、前記側板の横の長さの全部又は一部に端面が鏡面の溝を水平方向に有するか、前記側板の横の長さの全部又は一部に前記側板の厚みに段差をつける、平面で鏡面の端面を前記側板の横方向に有することを特徴とする造作物。
１０）端面と内面のなす角度を直角以外とし内部の光を水平方向に反射させる、一部又は全部が箱の高さより低い、鏡面仕上げの透明な側板を有することを特徴とする造作物。
１１）鏡面仕上げの透明な物質からなる造作物の平面や曲面の構造体の全部又は一部を鏡面仕上げより粗く処理された部分から前記造作物の内部に導光された光を前記造作物の外部に照射する工程と
前記粗く処理された部分の平面の延長線上又は曲面の接線上にはない位置にあるか、又は前記造作物の半分の高さの位置より下にあるにある光源の光を、前記鏡面仕上げの透明な平面や、曲面の構造体の内部に導く工程と
前記光を前記造作物の平面や曲面の内部で、前記前記粗く処理された部分へ導光する工程と、を有する照明またはデザインの方法
１２）一部又は全部が鏡面仕上げの透明な物質からなる造作物の平面や曲面の前記透明な物質の内部に導光された光を前記鏡面に臨界角以下で光を当て前記造作物の物質の外部に照射する工程と
前記臨界角以下で光を当てた箇所の前記造作物の平面の延長線上又は曲面の接線上にはない位置にあるか、又は前記造作物の半分の高さの位置より下にあるにある光源の光を、前記  鏡面仕上げの透明な平面や、曲面の構造体の内部に導く工程と
前記光を前記構造体の平面や曲面の内部で、前記臨界角以下で光を当てる部分へ導光する工程
を有する照明又は光を用いた意匠の方法
【発明の効果】
【０００９】
本発明の照明付き造作物および光照射方式は配線や、発光体を全く持たない天板を照明の用とするために下部からの光をその天板に導き利用するため、天板の上が自由に使える、あるいは天板の取り外し、取り付けが容易にできるという利点がある。
【図面の簡単な説明】
【００１０】
【図１】造作物の実施方の原理を示した構造の説明図である。（全実施例）
【図２】側板を用いずに光を天板に導く詳細な説明図である。（実施例１）
【図３】側板を用いて光を天板に導く詳細な説明図である。（実施例２）
【図４】角丸の天板使用する説明図である。（実施例３）
【図５】ドーム状の天板を有する構造の説明図である。（実施例４）
【図６】角屋根型の天板に導く構造の説明図である。（実施例５）
【図７】側板の下部からの光を天板で全反射させ天板に導く説明図である。（実施例６）
【図８】側板からの光を天板で全反射させる箱型容器の俯瞰図である。（実施例６）
【図９】側板の下部からの光を側板で全反射させ天板に導く説明図である。（実施例７）
【図１０】開口部を持つ中空の立方体を構成する板の中で導光する。（実施例８）
【図１１】光を中間板と天板に導く段差を有する側板である。（実施例９）
【図１２】光を中間板と天板に導く溝を有する側板である。（実施例９）
【図１３】光を中間板と天板に導く溝を有する側板である。（実施例９）
【図１４】光を中間板と天板に導く溝を有する側板の俯瞰図である。（実施例９）
【図１５】光を中間板と天板に導く高さの低い側板である。（実施例１０）
【図１６】光を中間板と天板に導く高さの低い側板の俯瞰図である。（実施例１０）
【図１７】鏡面に溝を付けて光を構造体の外部に照射する説明図。（実施例１１）
【図１８】鏡面に溝を付けて光を構造体の外部に照射する説明図。（実施例１２）
【図１９】鏡面に臨界角以下で光を当て構造体の外部に照射する説明図。（実施例１３）
【図２０】鏡面に臨界角以下で光を当て構造体の外部に照射する説明図。（実施例１４）
【発明を実施するための形態】
【００１１】
造作物の上を覆う構造体、天板や、蓋、屋根などから照射する照明の光源を、前記造作物を上から覆う構造体に取り付けることなく、下部に設けた光源からの光を用いて、造作物の構造体を利用して実現した。 
【００１２】
図１は、本発明装置の１実施例の断面図であって、１〜７は、図２〜図１３と同様である。
実施例の説明では造作物として説明しているが構造は陳列台や棚の１段と同じで陳列台や棚や建物などの造作物でも同様な実施例の説明となる。
【００１３】
図１は本発明の原理を説明するための構造を示す実施例２の図である。実施例に２については後述する。
【００１４】
造作物を構成する平面の構造体、天板３を表面が鏡面仕上げの透明な物質にして、前記鏡面仕上げの天板３の下面の一部を残して鏡面仕上げ未満に粗く処理して光照射部とする。前記造作物の半分の高さの位置より下にあるか、又は前記光照射部の平面と同一面上又は曲面の接線上にはない位置にある光源部２からの光を、前記光照射部の構造体自身の内部に導く側板１及び天板３を持ち、前記導かれた光を、前記光照射部で天板３の内部から外部に照射する。
【００１５】
本発明の造作物は、容器、棚、陳列台、机、テーブルなどの板、柱又は足などの構造体を有する造作物で、置いて鑑賞するだけの機能しかない単なる置物でない、造作物である。
【００１６】
下からの光を透明にした天板３の中に導くためには鏡を用いて反射し、天板３の端面から入光したり、透明な天板や、他の透明な構造体、側板などの全反射などを利用したり、全反射する様にゆるくカーブを描いた側板から天板への構造を用いて光を導光する。
【００１７】
図２は実施例１の断面図である。図１の左下の部分をこの図２で置き換えたものとして説明する。この実施例では下からの光を構造体の内部を導光板とすることなく、角度を絞って上部へ照射した光を天板の端面から天板内部へ導き、天板の下面の表面を粗くした部分へ導き、前記粗く処理した表面から光を照射する。
【００１８】
実施例１では側板を導光板としないで、光源の光を横木４と側板２によって作られた溝や、光源２の上に配置されたレンズなどで照射角度を絞り上部へ照射して鏡や縁に角度をつけた天板の全反射か別途用意された鏡などを用いて水平方向にまげ、天板に導く。溝の形は照射角度が絞れるようにすり鉢状（パラボラ形状）とする。
【００１９】
既存の造作物の照明法は、光源から直接照射するか、又は先行技術文献にあるように専用の導光部品を用いて光を必要なところまで導く。
【００２０】
本発明では、造作物を構成する、側板や、天板、曲面の板などを鏡面仕上げの透明な物質にして、必要な箇所の表面を粗く処理して光の照射口とする。その表面を粗く処理した透明な構造体の部分まで、造作物を構成する、壁や、側板、天板、柱、曲面の板などを透明な物体にして光の経路として光を導く。造作物を構成する壁や、側板、天板、柱、曲面の板などの部分を、光の経路、光の照射口として用い、照明を担う部品と、造作物を形作る構造体との２つの機能を持たせることが特徴である。
【００２１】
図１の構造図と図７を使用して側板１を光の経路として利用した実施例２について説明する。図１の天板３の表面を粗く処理した光照射部に前記造作物の半分の高さの位置より下にあるか、又は前記光照射部の平面と同一面上又は曲面の接線上にはない位置にある光源２の光を導くために、側板１を鏡面仕上げの透明な物質にして、側板１の内部を光の経路とし、図７にあるように天板３の斜めにカットされた端面で、側板１からの光を全反射して方向を変えて、天板３の表面を粗く処理した光照射部に導き、天板３の表面を粗く処理した光照射部から照射する。
【００２２】
図２で側板１への光の取り入れ方を詳細に説明する。この実施例では光源２の光を、底板７に配置したLEDの光源２を、側板１の端面の下になるように配置し、光を側板１の内部に取り込み光照射部へ導光する。この光は側板１の内部で全反射して外部へもれることなく側板１の端面から天板へ照射される。造作物の内部を照らす場合は天板３の下面に、光照射部を設ける。上も照らしたい場合は天板３の上面を鏡面仕上げ未満に荒く処理して光照射部を設ければよい。
【００２３】
図１７を用いて天板３の表面に溝８を付けて光照射部とする実施例１１を説明する。天板３の下面に溝の面が鏡面仕上げ未満の傷をつける。この面に当たった光は全反射することなく天板３の外部へ照射される。
【００２４】
図１８を用いて天板３の表面に溝８を付けて光照射部とする別の実施例１２を説明する。天板３の上面に溝の面９、１０が鏡面仕上げのくさび形の溝をつける。この面９，面１０に当たった光は全反射するか、一度外部へ屈折して再度天板３の内部に入り天板３の下面から外部へ照射される。
【００２５】
実施例１１、実施例１２の方法では天板の一部を鏡面のまま残すことができるので、内部を見通せる造作物となる。特に実施例１２では鏡面仕上げ未満の面にする必要はないので見にくいが内部はほとんど見ることができる。
【００２６】
図１９を用いて天板３に溝を付けて、光の照射口とする実施例１３について説明する。
造作物を構成する平面の天板３の一部又は全部を、表面が鏡面仕上げの透明な物質にして、側板１から前記天板３内へ導光された光を前記天板３の鏡面に臨界角以下で光を照射する反射面９を有するアのあのじの又は一部を鏡面仕上げ未満に粗く処理したすなは光照射部と、
前記造作物の半分の高さの位置より下にあるか、又は前記光照射部の平面と同一面上又は曲面の接線上にはない位置にある光源部と、
前記光源部からの光を、前記透明で鏡面仕上げの構造体の物質の内部を光の経路とし、前記光照射部の構造体自身の内部に導く導光部を
有することを特徴とする造作物とする。
【００２７】
光は鏡を用いたり、全反射で反射させたり、屈折させたりして照射角度を変える。構造体の鏡面に臨界角以下で光を照射する反射面又は屈折させる面を作成することは全反射する面や、鏡、屈折を利用すれば多くの形で実現することができる。
【００２８】
図２０を用いて天板３の鏡面に臨界角以下で光を照射する反射面又は屈折させる面を有する実施例１４のアのあのじの又は一部を鏡面仕上げ未満に粗く処理したすなは光照射部を説明する。天板３に導光された光を４５度の天板の端面で下方向に曲げて、天板３の鏡面を前記反射した光が臨界角以下で入光させる。光は前記鏡面を全反射することなく、天板３の外部へ照射される。この形状の天板３を作成するためには２枚の台形の板と一枚の板を図２０の形になるように接着してもよい。
【００２９】
実施例１３、実施例１４では照射部を持つ構造体も鏡面仕上のままなので、内部をよくみとおすことができる。
【００３０】
図１の造作物を構成する側板１や天板３の透明な部分の全部又は一部の表面を、光を透過しない不透明又は半分透過する半透明の板や、シートや、紙で覆い造作物の内部が透けて見えない、又は見えにくくすることもできる。この場合は、透明な側板１や天板３とそれを覆うシートや板や紙の間に、空気などの全反射を阻害しない物質が、必要である。多くの接着剤はこの用途では使用できないが、覆う板をネジ止めや、釘止、はめ込みにすることで実現する。
【００３１】
透明な物質にして造作物を構成する、側板や、天板、曲面の板などの表面は、表面に接着剤を使用したり、ペンキなどを塗ることをしないで、化粧板や、色の付いた樹脂のシートや紙で覆えば、密着させても空気層ができて、光を導光する効果に差はない。造作物を構成する側板や、天板では、透明性が好まれない場合は表面を着色物で覆うことにより、外部からは見ると透明な板で構成された造作物ではなくなる。造作物を構成する側板や、中板、天板は端面と内部では光を通すが、一番広い面では光を通さない板や曲面の板で構成される。この場合も側板や、天板、曲面の板などの表面から、光を照射して外部へ光を出す部分は覆ってはいけない。
【００３２】
透明な部分の、全部又は一部の表面を粗く処理した光照射部分は、造作物の上部に設けるだけでなく、垂直方向の構造体、側板などや、斜めの構造体に設けても照明とすることができる。粗く処理された面から出る光はすべての方向に照射されるからである。
【００３３】
また光の透明な構造体の表面を粗くした部分へ導き、前記表面から光を照射するのは、天板だけに限らず、文字が画像の形状に表面を粗くした側板からおこなえば、その部分だけ光り、デザインの一部となる。また側板の表面を粗く処理して側板から照射される光を照明に用いることもできる。天板においても、照明目的ではなく文字や、画像の形状に透明な表面を粗くした部分を作れば、デザインや文字の形状に光が照射される。鏡面の粗さによっても光の濃淡を作ることができる。文字や、画像が浮かび上がるので観賞する際の付加価値となる。
【００３４】
光の照射は、造作物の内部の表面か外部の表面を粗く処理することにより、造作物の内外に自由にできる。内部の照明にするか、外部への光の効果を狙うかなどで、選択する。
【００３５】
上下の配置位置が予め決められている造作物の上から覆う平面や曲面の構造体は、着脱可能である造作物とすることができる。
例えば実施例２では、天板には光源や、配線が全く無いので、水平方向に配置された透明な天板２は、位置決め用の突起や、段差を設けて、上に置く構造とすれば、天板は２固定されたものではなく、容易に取り外し取り付けができる。
【００３６】
実施例１、実施例２では天板は取り外しができるようにすることもできるが、天板を固定して、側板を開きドアのように開くようにしても実施できる。側板を導光板とした場合は閉じなければ光は照射されない。
【００３７】
図３は別の実施例３でカーブした形状の天板３をもつ造作物である。図では天板のみを示した。下部の構造は図１を参照されたい.
透明な鏡面仕上げの、外周部分が垂直方向の縁を有し、前記鏡面仕上げの全部又は一部を鏡面仕上げ未満に粗く処理した光照射部を有し、前記縁の端面は鏡面仕上げされた天板３と、前記天板３の縁の鏡面仕上げされた端面を上に乗せる平面又は曲面の、上部の端面が鏡面処理された側板１から構成される
【００３８】
実施例３の天板の内部で光を曲げて、表面を粗く処理した部分に光の方向を変えて導くためには曲面は内部で全反射を起こすように、緩やかでなければならない。
【００３９】
図４に示すような曲面の屋根の実施例４や、図５に示すような三角（多角）屋根の実施例５や、台形の天板または多角形の柱状の側板を持つ造作物でも同様に照明やデザインを実現できる。
【００４０】
実施例４、実施例５でも曲面の天板や、三角屋根を造作物の基板の上や、垂直方向の構造体の上に置く構造とすれば、ドーム屋根や、天板は固定されたものではなく、容易に取り外し取り付けができる。
【００４１】
実施例１の図１の左上部分の拡大図を図６に示す。
鏡面を有する透明な側板１と天板３から構成され、前記側板１の縁の辺と、前記天板３の縁の辺が重なるように前記側板１の端面の上に前記天板３を乗せ、前記側板１に乗った部分の前記天板３の端面の前記天板３の下面に対する角度を、前記側板１の内部に導かれた下方からの光を全反射して前記天板３の内部に導くように直角未満とする。
【００４２】
一般的な透明な樹脂や、ガラスの屈折率では天板３の底面と端面がなす小さい方の角度が少なくとも４５度以上で全反射を起こす。小さい方の角度とは交差する２平面は２つの角度を作るので区別するために小さい方とした。また４５度は垂直な光を水平な光へと反射するので都合が良い。
【００４３】
実施例６の箱型容器の俯瞰図を図８に示す。天板３の２つの端面が４５度になっている。
【００４４】
実施例１の図１の左上部分を別の形に置き換えた実施例８の拡大図を図９に示す。側板の上部の端面より前記天板の下面が低くなるように前記天板と前記側板取り付け、前記側板の上部の端面と前記側板の内面とがなす小さい角度を直角未満とする。
【００４５】
実施例８では天板３は側板１に挟まれる構造になるので、側板１に止め部を付けて天板３を載せる形にするか、天板３の上部に薄い突き出し部分をつけ側板に乗せる。
【００４６】
図１０を用いて実施例８を説明する。実施例８は下方部分に開口部を持つ透明な側板１と天板３を一体にしたコップ状の構造体と、下方部分の開口部を塞ぐ底板７から構成され、前記コップ状の構造体の内部に光を導くように前記底板に光源２を配置して、前記コップ状の構造体の内部で前記導かれた光の角度を変えて導光する。
【００４７】
この場合のコップ状の側板１、天板３の一体構造は、３角屋根や、ドーム状の形でもよく、曲面で光が全反射するように緩やかなカーブとする。光源２の上にコップ状の側板１、天板３の一体構造の側板１の端面が上に乗るように底板７の光源２の周囲を溝にする。
【００４８】
前記コップ状の側板１、天板３の一体構造は、底板７から容易に取り外し、取り付けができる上に内部や、外部を照らす照明器具となる。配線も、光源も何もない部品が照明の役割を果たすことが本発明の特徴である。図４の形状の蓋一体型や、図５の形状の蓋一体型でも同じように実施できる。
【００４９】
次に図１１、図１２，図１３用いて実施例９を説明する。実施例９では天板以外に中間の高さに透明な仕切り板５を設ける。
【００５０】
図１１を用いて段差のある側板を説明する。光を透過させる透明な側板１の造作物の高さの中間の位置に下方からの光の一部を水平方向に反射させるために前記側板の厚みに段差をつける平面で鏡面の端面を側板１の横方向に持たせる。このために図１１では中間の高さで透明な側板１の厚さを替える。光は全反射して仕切板５に入り、透明な仕切板５は天板３と同様に下面が粗く表面処理されていて光を照射する。一方側板はすべての光を仕切板５に反射するわけではないので、天板３からも光は照射される。
【００５１】
実施例９のさらなる例として図１１，図１２用いて説明する。側板１の一部の厚さに水平方向に光が反射するように、側板１の厚さの一部にスリット又は楔形を入れる。このために図１１、図１２の様にでは中間の高さで透明な側板１にスリット又は楔形に削る。厚さ方向の端面で光は全反射して仕切板５に入り、透明な仕切板５は天板３と同様に下面が粗く表面処理されていて光を照射する。一方側板はすべての光を仕切板５に反射するわけではないので、天板３からも光は照射される。
一枚の透明な板から少ない加工で生産ができるので、段差をつけるよりこちらのほうが容易である。
【００５２】
この実施例９では側板の一番上の端面は直角のままとして天板の端面に角度をつけてもよい。
【００５３】
図１４にあるように溝の長さや深さを変えることができる。溝、スリットの深さや、長さで反射する光の量をコントロールできるので、何段にもなる仕切板から照射される光の量も自由にコントロールできる。
【００５４】
図１５、図１６を用いて実施例１０を説明する。光を透過させる透明な側板の高さを、造作物の高さの造作物の高さより低くして、その端面に下方からの光の一部を水平方向に反射させるために角度をつける。造作物の残りの高さは図１５に示すように別な板１‘を貼り付けてもよい。図１５で側板１と側板１’ は２枚の板を貼り付けたものである。側板１は光を側板１の高さで角度をつけた面で水簸方向に反射して透明な仕切板５に導く。
【００５５】
図１６にあるように、中看板に反射させる部分は側板の横幅の一部とすれば、上下の側板合わせ目で一部の光は天板の方向へ向かう。端面が内面に対して直角の合わせの部分は全反射が必要ないので接着材を用いて接着できる。
【符号の説明】
【００５６】
１  側板
２  光源
３  天板
４  横木
５  仕切板 
６  三角屋根
７  底板           
８  溝
９  溝、段の端面１
１０  溝の端面２
【図１】
2018060762.tif 000003
【図２】
2018060762.tif 000004
【図３】
2018060762.tif 000005
【図４】
2018060762.tif 000006
【図５】
2018060762.tif 000007
【図６】
2018060762.tif 000008
【図７】
2018060762.tif 000009
【図８】
2018060762.tif 000010
【図９】
2018060762.tif 000011
【図１０】
2018060762.tif 000012
【図１１】
2018060762.tif 000013
【図１２】
2018060762.tif 000014
【図１３】
2018060762.tif 000015
【図１４】
2018060762.tif 000016
【図１５】
2018060762.tif 000017
【図１６】
2018060762.tif 000018
【図１７】
2018060762.tif 000019
【図１８】
2018060762.tif 000020
【図１９】
2018060762.tif 000021
【図２０】
2018060762.tif 000022